(57)【特許請求の範囲】
【請求項１】
紙葉類に付されたバーコードに隠蔽印刷が施された隠蔽印刷層を剥離する剥離機構と、
剥離されたバーコードを読み取る読取機構と、
前記剥離機構と前記読取機構との間で前記紙葉類を搬送する搬送機構と、
前記剥離機構が前記隠蔽印刷層を剥離した後、前記剥離されたバーコードを読み取るように、前記剥離機構と前記読取機構と前記搬送機構とを制御する制御部と、を備え、
前記制御部は、前記バーコードがデコードできるか否かを判定し、前記バーコードがデコードできないと判定した場合、前記読取機構から前記剥離機構まで前記紙葉類を搬送するように前記搬送機構を制御し、前記剥離機構に前記隠蔽印刷層を再剥離させ、前記読取機構に前記剥離されたバーコードを再読み取りさせる、
ことを特徴とする隠蔽印刷付き紙葉類剥離装置。
【請求項２】
前記制御部は、前記隠蔽印刷層が剥離された面積があらかじめ定められた面積を満たすか否かを判定し、前記隠蔽印刷層が剥離された面積があらかじめ定められた面積に満たないと判定した場合に、前記バーコードがデコードできないと判定する、
ことを特徴とする請求項１に記載の隠蔽印刷付き紙葉類剥離装置。
【請求項３】
前記制御部は、前記読取機構が剥離された前記バーコードを読み取った多値データから前記バーコードの走査ラインごとに画素値を算出し、算出した前記走査ラインごとの前記画素値の総和と前記走査ラインごとの前記画素値の平均とに基づいて、前記バーコードの白エリアおよび黒エリアを定める、
ことを特徴とする請求項１または２に記載の隠蔽印刷付き紙葉類剥離装置。
【請求項４】
前記制御部は、前記走査ラインごとの画素値の最大値および最小値を算出し、算出された前記最大値および最小値を結んだ波形に基づいて、前記走査ラインごとの画素が前記バーコードの白エリアまたは黒エリアのいずれのエリアに属するか判定し、判定した結果に基づいて、前記バーコードをデコードする、
ことを特徴とする請求項３に記載の隠蔽印刷付き紙葉類剥離装置。
【請求項５】
前記制御部は、前記隠蔽印刷層を剥離しない状態で前記紙葉類を前記読取機構まで搬送するように前記剥離機構と前記搬送機構とを制御し、搬送された前記紙葉類を前記読取機構がスキャンした画像に基づいて、前記紙葉類の向きを判別する、
ことを特徴とする請求項１〜４に記載の隠蔽印刷付き紙葉類剥離装置。
【請求項６】
前記制御部は、搬送されてくる前記紙葉類の向きに応じて、前記剥離機構が前記隠蔽印刷層を剥離するタイミングを定める、
ことを特徴とする請求項５に記載の隠蔽印刷付き紙葉類剥離装置。
【請求項７】
前記制御部は、定められた前記タイミングにあわせて前記隠蔽印刷層を剥離する位置まで前記紙葉類を搬送するように前記搬送機構を制御する、
ことを特徴とする請求項６に記載の隠蔽印刷付き紙葉類剥離装置。
【請求項８】
前記剥離機構は、前記隠蔽印刷層を剥離するための剥離刃を有し、
前記制御部は、定められた前記タイミングに応じて前記剥離刃を開閉させることにより、前記隠蔽印刷層を剥離させるように前記剥離機構を制御する、
ことを特徴とする請求項６または７に記載の隠蔽印刷付き紙葉類剥離装置。
【発明の詳細な説明】
【技術分野】
【０００１】
本発明は、隠蔽印刷付き紙葉類の隠蔽印刷を剥離する装置に関する。
【背景技術】
【０００２】
従来、隠蔽印刷付き紙葉類の隠蔽印刷を剥離する装置においては、隠蔽印刷付き紙葉類の隠蔽印刷を剥離する機能に限定されている。したがって、隠蔽されていたバーコード情報を光学的に読み取るためには、剥離の終了した紙葉類を、別のバーコード読み取り装置で読み取らせる必要があり、オペレータの操作は、手間がかかる状態となっている。
【０００３】
また、隠蔽印刷付き紙葉類の隠蔽印刷の剥離が完全でない場合は、別のバーコード読み取り装置で読み取らせた時に、初めて不読となって削り残しに気づき、削り残しを手動で削るか、また隠蔽印刷付き紙葉類剥離装置で処理する必要があり、運用や操作が煩雑になっているという問題点があった。また、ユーザは、隠蔽印刷付き紙葉類剥離装置とバーコード読み取り装置を、別々で準備する必要があり、設置スペースや、装置購入の費用面でユーザにとってデメリットになってしまう。
【０００４】
さらに、隠蔽印刷付き紙葉類剥離装置と、バーコード読み取り装置が別であると、連動した動作で、剥離機構を制御できないという問題があった。つまり、隠蔽印刷付き紙葉類剥離装置として独立していると、バーコード読み取りのため、完全な剥離が課題となる。このような隠蔽印刷付き紙葉類の隠蔽印刷を剥離する機能を有した隠蔽印刷付き紙葉類剥離装置としては、例えば、特許文献１および特許文献２に開示されている。
【先行技術文献】
【特許文献】
【０００５】
【特許文献１】特開２００３−２６７６２３号公報
【特許文献２】特開２００６−００１１５８号公報
【発明の概要】
【発明が解決しようとする課題】
【０００６】
上述したように、従来技術においては、隠蔽印刷付き紙葉類剥離装置とバーコード読み取り装置とが別であると、連動した動作で、剥離機構を制御できないという問題がある。つまり、隠蔽印刷付き紙葉類剥離装置として独立していると、バーコード読み取りのため、完全な剥離が課題となる。
【０００７】
また、剥離機構部は、紙葉類への刃のあたり方として、押圧力、角度などの変化要素があり、また紙葉類の折れ、しわ等の影響があり安定的かつ継続的に剥離機能を維持させる技術は困難が予想される。従来技術の製品においては、安定的、継続的な剥離を行うために、ユーザ自身がメンテナンスを頻繁に実施し、折れ、しわ媒体はセットしないなど、運用面でカバーして、別製品のバーコードリーダで読み取りをせざるを得ない。
【０００８】
また、従来技術では、紙葉類を逆向きにセットしてしまった場合には、剥離機構部が、隠蔽印刷以外の通常印刷されている部分を削る可能性があり、特に湿気を含んだ紙葉類、折れ、しわ紙葉類で逆向きセットにて、剥離対象部位以外が削れてしまうケースがある。さらに、従来技術では、剥離が不完全のまま、剥離機からでてきた状態では、別で設置されているバーコードリーダで読み取れないことを知るまで解らない状態であり、バーコードリーダで読み取れないと判断するのも、紙葉類の隠蔽印刷の剥離状態を確認することも、オペレータにゆだねられており、手間がかかるといった問題がある。
【０００９】
本発明は、上記に鑑みてなされたものであって、オペレータが隠蔽印刷付き紙葉類の剥離装置に１回セットするだけで隠蔽印刷の剥離とバーコードの読み取りを完了させることができる隠蔽印刷付き紙葉類剥離装置を提供することを目的とする。
【課題を解決するための手段】
【００１０】
上述した課題を解決し、目的を達成するために、本発明にかかる隠蔽印刷付き紙葉類剥離装置は、紙葉類に付されたバーコードに隠蔽印刷が施された隠蔽印刷層を剥離する剥離機構と、剥離されたバーコードを読み取る読取機構と、前記剥離機構と前記読取機構との間で前記紙葉類を搬送する搬送機構と、前記剥離機構が前記隠蔽印刷層を剥離した後、前記剥離されたバーコードを読み取るように、前記剥離機構と前記読取機構と前記搬送機構とを制御する制御部と、を備えたことを特徴とする。
【発明の効果】
【００１１】
本発明によれば、オペレータが隠蔽印刷付き紙葉類の剥離装置に１回セットするだけで隠蔽印刷の剥離とバーコードの読み取りを完了させることができる隠蔽印刷付き紙葉類剥離装置を提供することができる。
【図面の簡単な説明】
【００１２】
【図１】本実施の形態における隠蔽印刷付き紙葉類剥離装置の構成例を示す図である。
【図２】図１に示した隠蔽印刷付き紙葉類剥離装置の機能的な構成を示すブロック図である。
【図３Ａ】図１に示した隠蔽印刷付き紙葉類剥離装置で行われる制御処理の処理手順を示すフローチャートである。
【図３Ｂ】図１に示した隠蔽印刷付き紙葉類剥離装置で行われる制御処理の処理手順を示すフローチャートである。
【図４】剥離の再実行の処理手順を示すフローチャートである。
【図５Ａ】スキャナ読取機構が読み取ったイメージデータのうち、バーコード部のみを切り出した画像を示す図である。
【図５Ｂ】縦方向に画素毎に画素値（ＡＤ値）の和を算出した後、縦方向の画素ごとのＡＤ値の平均値を算出した場合における平均値のグラフを示す図である。
【図５Ｃ】隠蔽印刷の削り残しの影響により、スキャナ読取機構がバーコードを読み取らないケースの実画像データを示す図である。
【発明を実施するための形態】
【００１３】
以下、図１から図５Ｃを参照して、本発明にかかる隠蔽印刷付き紙葉類剥離装置の実施の形態を詳細に説明する。
【００１４】
図１は、本実施の形態における隠蔽印刷付き紙葉類剥離装置１０００の構成例を示す図である。図１に示すように、隠蔽印刷付き紙葉類剥離装置１０００は、隠蔽印刷の剥離とバーコードを読み取るために、剥離機構４とスキャナ読取機構１３の両方を具備している。
【００１５】
剥離機構４は、紙葉類に施された隠蔽印刷を剥離するための機構であり、刃開閉ソレノイド７と、押圧調整機構８とを有している。刃開閉ソレノイド７は、刃の開閉が可能であり、剥離をしない紙葉類を搬送する場合は、削り刃６を開けるようにしている。また、押圧調整機構８は、エンコーダ付きモータでネジを押し込み押圧調整ができる機構を有している。その他機構として、剥離屑を紙葉類から除くための剥離屑除去機構１０や、紙葉類をセットするホッパ−２や、搬送機構として紙葉類を給紙するためのピックローラ３や搬送ローラ５、用紙排出を保持するスタッカ１５を兼備している。
【００１６】
上述した搬送機構は、ホッパー２からピックローラ３、搬送ローラ５の駆動により、スタッカー１５まで紙葉類を搬送させる機能である。この搬送の間に剥離機構４と剥離屑除去機構１０とスキャナ読取機構１３とを搬送方向に並べて配置している。剥離機構４は、刃開閉ソレノイドで刃の開閉が可能であり、剥離をしない搬送の場合は刃を開けるようにしている。また、押圧調整機構８は上述した機構を有し、剥離屑除去機構１０は、ブラシローラ１とブラシローラ２とからなり、ブラシローラ１は、剥離屑を紙葉類から除き、ブラシローラ２は、ブラシローラ１の剥離屑を除くようになっている。ブラシローラ２で掃いている剥離屑は、剥離屑収納ボックス１２に収納される。そして、屑を除いた紙葉類の表面が、スキャナ読取機構１３によって読み取られる。
【００１７】
本実施の形態における隠蔽印刷付き紙葉類剥離装置１０００は、このような配置構成で紙葉類の隠蔽印刷の剥離とバーコードを光学的に読み取っている。なお、剥離屑除去機構１０は、必ずしもブラシローラ１とブラシローラ２とによって構成される必要はなく、少なくともスキャナ読取機構１３で読み取る時に剥離屑が取り込まないような構造や機構を具備させればよい。また、以下の説明では、ホッパー２からスタッカー１５まで紙葉類を搬送させる機構であるが、剥離とバーコード読み取りを実施して、またホッパー２へ戻す機構として制御することも可能となっている。
【００１８】
剥離機構４は、紙葉類への刃のあたり方として、押圧力、角度などの変化要素があり、また、折れ、しわ等の紙葉類の条件があり、剥離は、隠蔽印刷の削り残しが発生する。このため、従来のバーコード読み取り装置では、走査方向に対して、１ライン分は、剥離されて白黒バーが成立していなとバーコードが読み取りできないため、隠蔽印刷の残り方によって、バーコード読み取りができない問題があるが、本実施の形態における隠蔽印刷付き紙葉類剥離装置１０００では、剥離機構４とスキャナ読取機構１３の両方を具備させ、剥離機構の剥離が不完全であった場合でも、スキャナ読取機構のイメージデータを隠蔽印刷の削り残りを想定し、後述するように工夫した処理をすることによってバーコード読み取りする。
【００１９】
また、従来技術では、紙葉類を逆向きにセットしてしまった場合、剥離機構部が、隠蔽印刷以外の通常印刷されている部分を削る可能性がある。特に湿気を含んだ紙葉類、折れ、しわ紙葉類では、そのような逆向きでのセットにより、剥離対象部位以外が、削れてしまうケースがある。この点において、本実施の形態における隠蔽印刷付き紙葉類剥離装置１０００では、後述するように、紙葉類のセット方向を判定して、隠蔽印刷以外の印刷部分（例えば、図案）には刃があたらないようにタイミングを変えて処理を行っている。
【００２０】
図２は、図１に示した隠蔽印刷付き紙葉類剥離装置１０００の機能的な構成を示すブロック図である。図２に示すように、隠蔽印刷付き紙葉類剥離装置１０００は、機能的には、光源制御部４１Ａと、光源４１Ｂと、ＡＤＣ（Analog  Digital  Converter）４２と、イメージデータ格納メモリ４４と、紙葉類搬送制御部４５と、刃開閉ソレノイド制御部４７と、押圧調整機構制御部４８とは、ＣＰＵ（主制御部）４０のＩ／Ｏポートや、バスに接続されている。また、ＡＤＣ４２は、１次元ＣＣＤ（Charge  Coupled  Device）４３（またはＣＩＳ（Contact  Image  Sensor）４３）と接続されており、ＣＣＤ４３の出力を２５５デジタル値に変換する機能を有している。イメージデータ処理は、イメージデータ格納メモリ４４をアクセスし、画像の切り出し、演算を行うことで実現できる。
【００２１】
図３Ａ、図３Ｂは、図１に示した隠蔽印刷付き紙葉類剥離装置１０００で行われる制御処理の処理手順を示すフローチャートである。図３Ａに示すように、まず、隠蔽印刷付き紙葉類剥離装置１０００は、初期設定として、押圧調整機構制御部４８が押圧調整機構８を初期位置に設定し、刃開閉ソレノイド制御部４７は刃開閉ソレノイド７が削り刃６を「開」状態にするように制御する（ステップ５０）。
【００２２】
その後、紙葉類搬送制御部４５は、ホッパー２が紙葉類を検知したか否かを判定し（ステップＳ５１）、ホッパー２が紙葉類を検知していないと判定した場合（ステップＳ５１；Ｎｏ）、検知するまでそのまま待機する。一方、紙葉類搬送制御部４５は、ホッパー２が紙葉類を検知したと判定した場合（ステップＳ５１；Ｙｅｓ）、搬送モータ（不図示）を駆動してピックローラ３および搬送ローラ５を回転させて紙葉類を搬送する（ステップ５２）。
【００２３】
紙葉類搬送制御部４５は、紙葉類が所定の読み取り開始位置まで搬送されたか否かを判定し（ステップＳ５３）、紙葉類が所定の読み取り開始位置まで搬送されていないと判定した場合（ステップＳ５３；Ｎｏ）、その開始位置に紙葉類が搬送されるまでそのまま待機する。一方、紙葉類搬送制御部４５は、紙葉類が所定の読み取り開始位置まで搬送されたと判定した場合（ステップＳ５３；Ｙｅｓ）、スキャナ１４が紙葉類の読取を開始する（ステップ５４）。
【００２４】
そして、主制御部４０は、スキャナ１４が取り込んだイメージデータをイメージデータ格納メモリ４４に格納し、紙葉類搬送制御部４５はモータを停止させ（ステップ５５）、ＣＣＤ４３は、隠蔽されていないバーコード（第１バーコード）を検索し、検索したその第１バーコードをデコードする（ステップＳ５６）。
【００２５】
主制御部４０は、ＣＣＤ４３が第１バーコードをデコードできたか否かを判定する（ステップＳ５７）。第１バーコードをデコードできたか否かは、隠蔽印刷されていないバーコードが、紙葉類の端面（例えば、搬送方向の先端）から予め定められた位置にあることを利用して、その位置にある第１のバーコードを読み取って正しくデコードできるか否かを判定することによって判定している。このように、主制御部４０は、第１バーコードの位置が所定の位置にあるか否かを判定することによって、紙葉類が搬送されている方向を検知している。
【００２６】
なお、このステップ５７の処理では、主制御部４０は、紙葉類が搬送方向から１８０度反転させた場合における第１バーコードの位置についても、これと同様に判定しているため、紙葉類が逆向きに搬送されてきた場合であっても、第１バーコードがデコードできるようになっている。また、スキャナ１４を搬送路の下部にも配置した場合には、紙葉類の裏面にある第１バーコードの位置についても判定することが可能となる。この場合には、紙葉類はスタッカー１５まで排出されることとなる。
【００２７】
主制御部４０が、ＣＣＤ４３が第１バーコードをデコードできたと判定した場合（ステップＳ５７；Ｙｅｓ）、刃開閉ソレノイド制御部４７は、順方向（正規向き）で紙葉類が挿入されて搬送されてきたと判定し、正規向きでの隠蔽印刷位置に合うように、刃開閉ソレノイド７の開閉タイミングを設定する（ステップＳ５８）。
【００２８】
一方、主制御部４０が、ＣＣＤ４３が第１バーコードをデコードできないと判定した場合（ステップＳ５７；Ｎｏ）、刃開閉ソレノイド制御部４７は、逆方向（逆向き）で紙葉類が挿入されて搬送されてきたと判定し、逆向きでの隠蔽印刷位置に合うように、刃開閉ソレノイド７の開閉タイミングを設定する（ステップＳ５９）。
【００２９】
その後、紙葉類搬送制御部４５は、モータを逆回転で駆動して紙葉類をホッパ２まで搬送して停止させた後（ステップＳ６０）、給紙搬送方向にモータを正転させる（ステップＳ６１）。そして、刃開閉ソレノイド制御部４７は、搬送されてきた紙葉類に対して、ステップＳ５８またはステップＳ５９で紙葉類の方向により設定した刃開閉ソレノイドの閉タイミングで、刃を閉じて剥離させる（ステップＳ６２）。
【００３０】
そして、隠蔽印刷を剥離させると、主制御部４０は、ステップＳ５３における処理の場合と同様に、紙葉類が所定の読み取り開始位置まで搬送されたか否かを判定し（ステップＳ６３）、紙葉類が所定の読み取り開始位置まで搬送されたと判定した場合（ステップＳ６３；Ｙｅｓ）、スキャナ１４が紙葉類の読取を開始する（ステップ６４）。
【００３１】
そして、ステップＳ５５における処理の場合と同様に、主制御部４０は、スキャナ１４が取り込んだイメージデータをイメージデータ格納メモリ４４に格納し、紙葉類搬送制御部４５はモータを停止させ（ステップ６５）、主制御部４０は、ＣＣＤ４３が隠蔽されていたバーコード（第２バーコード）をデコードできたか否かを判定する（ステップＳ６６）。第２バーコードをデコードできたか否かの判定は、例えば、隠蔽印刷が剥離された面積が、あらかじめ定められたバーコードのデコードが可能な面積分（あるいはバーコード全体の面積に対する割合分）の剥離ができていない（その面積に満たない）場合には、主制御部４０は、第２バーコードをデコードできないと判定する。
【００３２】
主制御部４０が、第２バーコードがデコードできないと判定した場合（ステップＳ６６；Ｎｏ）、ステップＳ６０に戻って、以降の処理を繰り返す。一方、主制御部４０が、第２バーコードがデコードできたと判定した場合（ステップＳ６６；Ｙｅｓ）、紙葉類搬送制御部４５は、モータを正転させて紙葉類をスタッカ１５まで搬送させ（ステップＳ６７）、処理を終了させる。このステップＳ６７の処理が終了すると、図３Ａ、図３Ｂに示した全ての処理が終了する。
【００３３】
従来技術では、剥離が不完全のまま、剥離機からでてきた状態では、別で設置されているバーコードリーダで読み取れないことがはっきりするまで解らない状態であり、バーコードリーダで読み取れないと判断すること、さらには紙葉類の隠蔽印刷の剥離状態を確認することも、オペレータがその判断をする必要があり、手間がかかるといった問題があった。しかし、本実施の形態においては、剥離機構とスキャナ読取機構の両方を具備させているので、剥離機構の剥離が不完全である場合であっても、人手を介することなくバーコードのデコードに必要な情報を読み取るための判定を、装置内のイメージデータを元に行うことができるようになっている。さらにこの判定により、隠蔽印刷の削りを、剥離機構の手前まで戻し、剥離の再実行することが可能となる。
【００３４】
続いて、隠蔽印刷が完全に剥離できなかった場合における剥離の再実行の処理手順について説明する。図４は、剥離の再実行の処理手順を示すフローチャートである。なお、図４において、ステップＳ８０〜ステップＳ８５までの処理は、図３Ｂに示したステップＳ６０〜ステップＳ６５までの各処理と同様であるため、ここではその説明を省略する。
【００３５】
ステップＳ８６において、主制御部４０は、剥離されたバーコードがデコードできたか否かを判定し（ステップＳ８６）、剥離されたバーコードがデコードできないと判定した場合（ステップＳ８６；Ｎｏ）、刃開閉ソレノイド制御部４７は、刃開閉ソレノイド７の刃を開き（ステップＳ８８）、紙葉類搬送制御部４５は、モータを逆回転に駆動して、刃開閉ソレノイド７の刃が過ぎる位置まで紙葉類を搬送し（ステップＳ８９）、再び刃開閉ソレノイド制御部４７は、刃開閉ソレノイド７の刃を閉じて（ステップＳ９０）、ステップＳ８２以降の処理を繰り返す。
【００３６】
一方、主制御部４０が、剥離されたバーコードがデコードできたと判定した場合（ステップＳ８６；Ｙｅｓ）、紙葉類搬送制御部４５は、モータを正転させて紙葉類をスタッカ１５まで搬送させ（ステップＳ８７）、処理を終了させる。このステップＳ８７の処理が終了すると、図４に示した全ての処理が終了する。
【００３７】
続いて、図４に示した処理において、剥離機構の剥離が不完全であった場合でも、処理を工夫して読み取る方式について、図５Ａ〜図５Ｃを用いて説明する。
【００３８】
図５Ａにおいて、スキャナ読取機構１３が読み取ったイメージデータのうち、バーコード部のみを切り出した画像１０１を示している。まず始めに、主制御部４０は、イメージデータのうち、あらかじめ設定されている切り出し枠１０４にある部分を切り出し、切り出し枠範囲内で、縦方向に画素毎に画素値（ＡＤ値）の和を算出した後、縦方向の画素ごとのＡＤ値の平均値を算出する。
【００３９】
図５Ｂは、このように算出した平均値のグラフ１０２を示す図である。図５Ｂに示すように、グラフ１０２では、縦方向の画素ごとのＡＤ値の平均値が、横方向（画素ＮＯ．）の画素ごとにプロットされている。グラフ１０２では、縦方向がＡＤ値で、横方向が画素ＮＯ．である。図５Ｂに示す例では、ＡＤ値の値が大きいほど白に近いことを示しており、ＡＤ値の値が小さいほど黒に近いことを示している。
【００４０】
このＡＤ値を白黒判別するため、主制御部４０は、ノイズ１０８の成分を移動平均などでノイズサプレスした後に、それぞれ波形の頂点を検出し、隣りあう頂点との中点をつないで、しきい値１０７とする。このしきい値１０７を設定することにより、イメージデータの中で、その画素が白バーエリアに属するものか、黒バーエリアに属するものかを判定し、バーコードのデコードを行っている。
【００４１】
図５Ｂに示すように、決定した白黒バーエリアで、デコードした結果を検証する場合には、白バーエリアにおいては縦方向に、最も白い部分として最大ＡＤ値を抽出し、黒バーエリアにおいては、縦方向に、最も黒い部分として最小ＡＤ値を抽出する。図５Ｂの下段では、その軌跡１０５を示している。このような処理を横方向に全ての画素を対象に行うことによって、イメージデータ全体におけるＡＤ値の波形を抽出することができる。この波形は、遮蔽印刷が白黒の中間色であることが前提であるが、その中間色を排除した波形になっているため、削り残しの影響を受けていないことになる。この波形でバーコードのデコード結果が、一致していれば、削り残しの影響を受けずに結果が出たと判断できる。尚、図５Ｂに示した波形は、テストで取得した処理の説明をするものであり、光量、感度、アンプゲイン等の最適化をした波形を記載しているものではないため、適宜最適化した上で処理を行うことが望ましい。
【００４２】
図５Ｃは、隠蔽印刷の削り残しの影響により、スキャナ読取機構１３がバーコードを読み取らないケースの実画像データを示す図である。図５Ｃに示すように、範囲１１１の部分においては、バーの高さ方向をすべて、隠蔽印刷が覆っているため、情報の処理で読み取る方法がない状態であるが、この場合においては、図４に示したように、ステップＳ８６において、剥離の再実行を行うことにより、スキャナ読取機構１３がバーコードを読み取ることが可能となる。
【００４３】
このように、本実施の形態における隠蔽印刷付き紙葉類剥離装置１０００において上述した処理を行うことにより、オペレータが隠蔽印刷付き紙葉類の剥離装置に１回セットするだけで隠蔽印刷の剥離とバーコードの読み取りを完了させることができる。
【００４４】
また、バーコード読み取り機構を内蔵させているので、装置内でバーコードが読み取りできるためのポイントを押さえた剥離ができればよいことになり、剥離機構部に求められる精度を高める必要がなくなり、剥離機構部を簡素化でき、装置全体を小型化、安価にできる。
【００４５】
さらに、装置内にバーコード読取部を備えていることにより、押圧力、角度などの変化要素や折れ、しわ等の条件媒体により、削り残しが発生してもバーコードの認識に影響しないイメージ認識処理をさせることができる。つまり、剥離機構部の削り残しがなくなるように、ユーザ自身によるメンテナンスや、条件媒体をセットしないように注意しなければいけない点を軽減できる。
【符号の説明】
【００４６】
１    紙葉類              ２    ホッパー          ３    ピックローラ
４    剥離機構            ５    搬送ローラ        ６    削り刃
７    刃開閉ソレノイド    ８    押厚調整機構      ９    剥離屑除去機構
１０  ブラシローラ１      １１  ブラシローラ２    １２  剥離屑収納ボックス
１３  スキャナ読取機構    １４  スキャナ          １５  スタッカー
１０００  隠蔽印刷付き紙葉類剥離装置。
【図１】
0005646391.tif 000002
【図２】
0005646391.tif 000003
【図３Ａ】
0005646391.tif 000004
【図３Ｂ】
0005646391.tif 000005
【図４】
0005646391.tif 000006
【図５Ａ】
0005646391.tif 000007
【図５Ｂ】
0005646391.tif 000008
【図５Ｃ】
0005646391.tif 000009